(57)【要約】      （修正有）【課題】簡単な構造で、写真や絵を額縁に収納すると共に、この裏側に、記念品などを収納できる収納部を一体に形成して、壁掛だけではなくスタンドにも立てて支持することができる収納部付き額縁を提供する。【解決手段】箱状をなすケース本体２の前面に額縁３を形成し、ここに透明板１１と、この裏面に押え板１３を着脱自在に取付けると共に、この押え板１３の背面側のケース本体内に、記念品の収納部１５となる引出し４を着脱自在に挿着したものである。【選択図】図３
0003146590.tif 000002
【実用新案登録請求の範囲】
【請求項１】
箱状をなすケース本体の前面に額縁を形成し、ここに透明板と、この裏面に押え板を着脱自在に取付けると共に、この押え板の背面側のケース本体内に、収納部となる引出しを着脱自在に挿着したことを特徴とする収納部付き額縁。
【請求項２】
ケース本体がスタンドに支持されていることを特徴とする請求項１記載の収納部付き額縁。
【考案の詳細な説明】
【技術分野】
【０００１】
本考案は、収納部を一体に形成した額縁に関するものである。
【背景技術】
【０００２】
一般に、写真や絵を額縁に収納して壁などに掲げている。しかしながら、従来の額縁は、単に写真や絵だけを収納しておくのが一般的である。このため記念品などを収納しておく引出しを本体ケースに設け、この本体ケースの上面に、記念の品を収納する額縁を設け、更にこの上部を塞ぐように蓋を喋番で開閉自在に取付け、この蓋の裏面に写真立てを形成した写真立て付き収納箱（特許文献１）が提案されている。
【０００３】
しかしながらこの構造は、使用する時に、引出しを取付けたケース本体から写真立てを起こして使用するので、写真立てを立てた状態で壁に取付けることができず、また構造が複雑で、高価になる問題があった。
【特許文献１】登録実用新案第３０３６３６２号公報
【考案の開示】
【考案が解決しようとする課題】
【０００４】
本考案は上記問題を改善し、簡単な構造で、写真や絵を額縁に収納すると共に、この裏側に、記念品などを収納できる収納部を一体に形成して、壁掛だけではなくスタンドにも立てて支持することができる収納部付き額縁を提供するものである。
【課題を解決するための手段】
【０００５】
本考案の請求項１記載の収納部付き額縁は、箱状をなすケース本体の前面に額縁を形成し、ここに透明板と、この裏面に押え板を着脱自在に取付けると共に、この押え板の背面側のケース本体内に、収納部となる引出しを着脱自在に挿着したことを特徴とするものである。
【０００６】
また本考案の請求項２記載の収納部付き額縁は、請求項１において、ケース本体がスタンドに支持されていることを特徴とするものである。
【考案の効果】
【０００７】
本考案に係る請求項１記載の収納部付き額縁によれば、写真や絵を掲げる額縁の背面側に、誕生の記念品などを収納する引出しを一体に形成して、ここに収納して保管できるので、整理が容易で紛失を防止することができる。
【０００８】
また請求項２記載の収納部付き額縁によれば、スタンドに立てて支持することができるので室内の棚やサイドボードに載置することができる。
【考案を実施するための最良の形態】
【０００９】
以下本考案の実施の一形態を図１ないし図３を参照して詳細に説明する。図において１は収納部付き額縁を示すもので、２はケース本体、３はケース本体２の前面に形成された額縁、４はケース本体２内に着脱自在に挿着した箱状の引出しである。  
【００１０】
ケース本体２は図３に示すように、前面と片側の側面が開口され、前面開口部５に額縁３が形成され、側面開口部６から上下に横方向に沿って挿着溝７、８が形成されている。この額縁３は前面開口部５を囲むように四角枠状の縁板１０が取付けられ、この裏側の挿着溝７に図２に示すようにガラスやプラスチックなどで形成された透明板１１と、写真１２および押え板１３が挿着されている。
【００１１】
また額縁３の裏側のケース本体２内には挿着溝８にガイドされて収納部１５となる引出し４が着脱自在に挿着されている。この引出し４は、開口した前面側に挿着溝１６が上下に形成され、ここに蓋板１７が着脱自在に取付けられている。また引出し４の側板１９とこれに隣接するケース本体２の側板には、連結金具２０が取付けられている。
【００１２】
上記構成の収納部付き額縁は、例えば誕生記念の写真を掲げる場合、図３に示すように先ず引出し４を引出してから、挿着溝７から透明板１１と押え板１３を引出す。次に誕生した赤ちゃんの写真１２を押え板１３の上におき、この上から透明板１１を重ねて、写真１２を挟持した状態で挿着溝７に挿着する。またこれとは別に、赤ちゃんのへその緒や、手形や足形などの記念品２１を引出し４の収納部１５に入れてから、蓋板１７を挿着溝１６に挿着して蓋をする。この後、引出し４を挿着溝７に挿着して箱状に形成してから連結金具２０でロックする。
【００１３】
このように組立てた収納部付き額縁１を、背面に取付けた図示しないフックに紐を通して壁面に吊す。この収納部付き額縁１は、写真１２を掲げておくと共に、誕生の記念品２１が額縁１の内部に保管されているので、紛失することがない。
【００１４】
図４は本考案の他の実施の形態を示すもので、収納部付き額縁１をスタンド２３に支持したものである。このスタンド２３は左右の脚部２４の上に支持板２５を取付け、この上に４個の傾斜したブロック２６を取付け、前後のブロック２６の間に傾斜板を取付け、この上に収納部付き額縁１を挿着することにより、傾斜した状態で支持することができる。従って、スタンド２３に立てて支持することができるので室内の棚やサイドボードに載置できるようにしたものである。
【００１５】
なお上記説明では誕生記念の写真１２とその記念品２１の場合について説明したが、故人の写真や記念の遺品、あるいは受賞祝の写真や勲章などの場合にも広く使用することができる。また写真１２に限らず絵画を飾っても良い。  
【図面の簡単な説明】
【００１６】
【図１】本考案の実施の一形態による収納部付き額縁の斜視図である。
【図２】図１の縦断側面図である。
【図３】図１の収納部付き額縁から引出しを取りだした状態を示す斜視図である。
【図４】本考案の他の実施の形態によるスタンドに支持させた収納部付き額縁の斜視図である。
【符号の説明】
【００１７】
１    収納部付き額縁                                        
２    ケース本体                                            
３    額縁                                                  
４    引出し                                                
５    前面開口部                                            
６    側面開口部                                            
７    挿着溝                                                
８    挿着溝                                                
１０  縁板                                                  
１１  透明板                                                
１２  写真                                                  
１３  押え板                                                
１５  収納部                                                
１６  挿着溝                                                
１７  蓋板                                                  
１９  側板                                                  
２０  連結金具                                              
２１  記念品                                                
２３  スタンド                                              
２４  脚部                                                  
２５  支持板                                                
２６  ブロック                                                    
【図１】
0003146590.tif 000003
【図２】
0003146590.tif 000004
【図３】
0003146590.tif 000005
【図４】
0003146590.tif 000006